(57)【要約】【課題】壁面に棚板を着脱自在に取付けることができるとともに、取付機構が目に触れることがなく、デザイン的にも優れた棚板の取付構造を提供する。【解決手段】棚板３と、壁面に固定され棚板３を支持する支持手段２と、棚板３を挟持し上記支持手段２に外嵌してカバーするカバー手段１とからなり、上記棚板３の壁面側の端部には挿通孔３２が穿たれるとともに、上記カバー手段１は天板１１１と下部挟持板１１２とからなる挟持部１１を備え、上記支持手段２の天面２１に突設された嵌合凸部２２が上記下部挟持板１１２に設けられたＵ字孔１２を介して上記挿通孔３２に嵌合することを特徴とする。【選択図】図１
2005137487.tif 000002
【特許請求の範囲】
【請求項１】
棚板と、壁面に固定され棚板を支持する支持手段と、棚板を挟持し上記支持手段に外嵌してカバーするカバー手段とからなり、上記棚板の壁面側の端部には挿通孔が穿たれるとともに、上記カバー手段は天板と下部挟持板とからなる挟持部を備え、上記支持手段の天面に突設された嵌合凸部が上記下部挟持板に設けられたＵ字孔を介して上記挿通孔に嵌合することを特徴とする棚板の取付構造。
【請求項２】
上記挟持部を平面視半円形状とするとともに、上記棚板の壁面側の端部に上記挟持部の天板が収まる半円形状の凹部を設け、この凹部の底部略中央に上記挿通孔が穿たれた請求項１に記載の棚板の取付構造。
【請求項３】
上記カバー手段の正面カバー部の裏面にガイドが突設されるとともに、上記支持手段正面に上記ガイドが嵌入するガイド溝が刻設された請求項１に記載の棚板の取付構造。
【請求項４】
上記カバー手段が弾性を有する合成樹脂からなる請求項１に記載の棚板の取付構造。
【発明の詳細な説明】
【技術分野】
【０００１】
本発明は、棚板の取付構造に関する。さらに詳しくは、壁面に棚板を着脱自在に取付けるための棚板の取付構造に関する。
【背景技術】
【０００２】
従来、壁面に棚板を着脱自在に取付けるための構造については、各種提案がなされており、例えば、下記先行技術があげられる。
【特許文献１】特開２００２−２６２９５２号公報（第１−４頁、第４図、第５図、第６図）
【発明の開示】
【発明が解決しようとする課題】
【０００３】
しかしながら、上記従来技術においては、壁面への棚板の取付け、取外しを必ずしも容易に行なえるものとはいえず、また、美観上も満足できるものとはいえない。そこで、本発明は、壁面に棚板を着脱自在に取付けることができるとともに、取付機構が目に触れることがなく、デザイン的にも優れた棚板の取付構造を提供することをその課題とする。
【課題を解決するための手段】
【０００４】
上記課題を解決するために、本発明においては、つぎのような技術的手段を講じている。すなわち、本発明によれば、棚板と、壁面に固定され棚板を支持する支持手段と、棚板を挟持し上記支持手段に外嵌してカバーするカバー手段とからなり、上記棚板の壁面側の端部には挿通孔が穿たれるとともに、上記カバー手段は天板と下部挟持板とからなる挟持部を備え、上記支持手段の天面に突設された嵌合凸部が上記下部挟持板に設けられたＵ字孔を介して上記挿通孔に嵌合することを特徴とする棚板の取付構造が提供される。
【０００５】
上記挟持部を平面視半円形状とするとともに、上記棚板の壁面側の端部に上記挟持部の天板が収まる半円形状の凹部を設け、この凹部の底部略中央に上記挿通孔が穿たれることが好ましい。
【０００６】
上記カバー手段の正面カバー部の裏面にガイドが突設されるとともに、上記支持手段正面に上記ガイドが嵌入するガイド溝を刻設されることが好ましい。また、上記カバー手段が弾性を有する合成樹脂から構成されることが好ましい。例えば、塩化ビニル樹脂、ＡＢＳ樹脂、ポリプロピレン等、バネ弾性を有する合成樹脂の一体成形品を用いることが好ましい。
【発明の効果】
【０００７】
請求項１に記載の発明は上記のとおりであり、とくに、上記カバー手段は天板と下部挟持板とからなる挟持部を備え、上記支持手段の天面に突設された嵌合凸部が上記下部挟持板に設けられたＵ字孔を介して上記挿通孔に嵌合するため、棚板は挟持部で挟持されるとともに、嵌合凸部で係止されて、しっかりと壁面に取付けることができる。
【０００８】
上記挟持部を平面視半円形状とするとともに、上記棚板の壁面側の端部に上記挟持部の天板が収まる半円形状の凹部を設け、この凹部の底部略中央に上記挿通孔が穿たれているため、棚板の上面とカバー手段の天板とが略面一となり、すっきりとした外観とすることができる。
【０００９】
上記カバー手段の正面カバー部の裏面にガイドが突設されるとともに、上記支持手段正面に上記ガイドが嵌入するガイド溝が刻設されているため、上記ガイドをガイド溝に嵌入させることにより、滑らかにカバー手段を支持手段に外嵌させて棚板を取付けることができる。また、嵌入を解除することにより、簡単に棚板を取外すことができる。
【００１０】
上記カバー手段を弾性を有する合成樹脂から構成することによって、挟持部にバネ弾性が付与されるため、棚板を弾性的にしっかりと挟持することができる。
【発明を実施するための最良の形態】
【００１１】
以下、本発明の実施形態について図面を参照して、詳細に説明する。図１は、本発明にかかる棚板の取付構造の概略構成図であり、理解を容易にするために、カバー手段１の天板１１１を切り欠いて示す。図１に示すように、上記取付構造は棚板３と、壁面Ｗに固定され棚板３を支持する支持手段２と、棚板３を挟持するとともに、支持手段２に外嵌してカバーするカバー手段１とからなり、棚板３の壁面側の端部には半円形状凹部３１が設けられ、この凹部３１に天板１１１が収められて棚板３の上面と略面一とされている。また、凹部３１の底部略中央には挿通孔３２が穿たれている。
【００１２】
図２は上記カバー手段１の背面図であり、図３は図１に示すＡ−Ａ線に沿う側断面図である。図１、図２、図３からよくわかるように、カバー手段１は天板１１１と下部挟持板１１２とからなる挟持部１１を備え、下部挟持板１１２には、上記挿通孔３２と通じるＵ字孔１２が設けられている。また、正面カバー部１３の裏面には、後記、支持手段２の正面に刻設されたガイド溝２３に嵌入するガイド１４が突設されている。
【００１３】
図４は、支持手段２を壁面ＷにビスＢで固定した状態を示す正面図である。図１、図４からよくわかるように、支持手段２は、固定用ビスＢで壁面Ｗに固定されるとともに、その天面２１には、嵌合凸部２２が突設され、この嵌合凸部２２は、上記Ｕ字孔１２を介して棚板３の凹部３１に穿たれた挿通孔３２に嵌合する。また、上記支持手段２には上記固定用ビスＢが挿通するビス孔２４が貫通しており、このビス孔２４の上下には、カバー手段１に内設されたガイド１４が嵌入するガイド溝２３が刻設され、ガイド１４がガイド溝２３をスライドして、カバー手段１を支持手段２に滑らかに外嵌することができる。
【００１４】
つぎに、本発明の取付構造を用いて棚板３を壁面Ｗに取付ける手順について図１を参照して説明する。まず壁面Ｗの所定位置に２個以上の支持手段２をビスＢで固定する。ついで、矢印で示すように、棚板３の半円形状凹部３１をカバー部１の挟持部１１に嵌め込んで天板１１１と下部挟持板１１２とによって挟持させ、ついで、中心軸を合わせて下向きに、ガイド１４を支持手段２に刻設されたガイド溝２３に嵌入し、カバー部１を支持手段２に外嵌する。上記一連の手順において、半円形状凹部３１に設けられた挿通孔３２とカバー手段１に設けられたＵ字孔１２とは通じているため、支持手段２の天面２１に突設された嵌合凸部２２がＵ字孔１２を介して挿通孔３２に嵌合し、かくして棚板３が支持手段２によってしっかりと支持される。
【００１５】
図５は、上記のようにして棚板３を壁面Ｗに取付けた状態を示す側断面図である。カバー手段１の挟持部１１が弾性を有する合成樹脂から構成されているため、棚板３は、弾性的に挟持されるとともに、嵌合凸部２２によって係止され、かくして、棚板３を支持手段２を介してしっかりと壁面Ｗに取付けることができる。また、取外すときは、棚板３をカバー手段１の挟持部１１で挟持しつつカバー手段１を引き上げれば、簡単に壁面Ｗから取外すことができる。このように、本発明にかかる棚板支持構造を用いれば、簡単に、かつ、優れたデザインで棚板を壁面に着脱自在に取付けることができる。
【図面の簡単な説明】
【００１６】
【図１】本発明にかかる棚板の取付構造を示す概略構成図である。
【図２】上記取付構造を構成するカバー手段の背面図である。
【図３】図１に示すＡ−Ａ線に沿う側断面図である。
【図４】支持手段を壁面にビスで固定した状態を示す正面図である。
【図５】本発明の棚板の取付構造を用いて棚板を壁面に取付けた状態を示す側断面図である。
【符号の説明】
【００１７】
１          カバー手段
１１        挟持部
１１１      天板
１１２      下部挟持板
１２        Ｕ字孔
１３        正面カバー部
１４        ガイド
２          支持手段
２１        天面
２２        嵌合凸部
２３        ガイド溝
２４        ビス孔
３          棚板
３１        半円形状凹部
３２        挿通孔
Ｂ          固定用ビス
【図１】
2005137487.tif 000003
【図２】
2005137487.tif 000004
【図３】
2005137487.tif 000005
【図４】
2005137487.tif 000006
【図５】
2005137487.tif 000007